(57)【特許請求の範囲】
【請求項１】
双眼鏡や類似の光学装置に対するネックストラップ端部の取り外し可能な接続のためのコネクターにおいて、
ストラップ（７）の端部に、Ｖ形状に弾性的に開かれ得る２つの脚部（３）を有するクリップ（２）が固定され、上記脚部はそれぞれ、その内側に内方に向いた保持突出部（８）を有し、
外側に向かって側方に延びるノッチ突出部（１６）を有した出っ張り（１５）を備えた保持部分（１２）が双眼鏡等に備えられ、
上記脚部（３）が上記出っ張り（１５）にノッチ状に係合可能で、脚部の保持突出部（８）が出っ張り（１５）のノッチ突出部（１６）を取り囲み、
脚部（３）が係合位置にある際に当該脚部上を滑ることができて脚部（３）が開くことを防ぐように自由内横断面がサイズ決めされている係留スリーブ（９）が備えられ、
脚部（３）はそれらの内側で卵形又は適切な長円形を有し、保持突出部（８）は平面図で見て卵形又は適切な長円形を有することを特徴とするコネクター。
【請求項２】
上記係留スリーブ（９）がその閉鎖位置でノッチ突出部（１６）の後ろに弾性的に係合することを特徴とする請求項１にしたがうコネクター。
【請求項３】
上記係留スリーブ（９）がその外側に操作リブ（２２）を有することを特徴とする請求項１にしたがうコネクター。
【請求項４】
上記クリップ（２）がその上側にネックストラップ（７）を通すための切抜き（５）を有することを特徴とする請求項１にしたがうコネクター。
【請求項５】
２つの間隔をおいたスリットが双眼鏡等のケースに備えられ、双眼鏡が使用状態にある場合で見てケースの上側スリットに保持部分（１２）が形状適合するように挿入可能で、ケースの下側スリットに固定部分（１７）が形状適合するように挿入可能で、上記保持部分（１２）と固定部分（１７）がノッチ式接続で連結可能であることを特徴とする請求項１にしたがうコネクター。
【請求項６】
挿入の際に固定部分（１７）のノッチ突出部（２０）が保持部分（１２）のノッチ切抜き（２１）に係合し、上記両部分（１２，１７）がそれ故互いに且つケースに対して固定されることを特徴とする請求項５にしたがうコネクター。
【発明の詳細な説明】
【０００１】
【発明の属する技術分野】
本発明は、双眼鏡又は類似の光学装置に対するネックストラップ端部の取り外し可能な接続のためのコネクターに関するものである。
【０００２】
【従来の技術】
双眼鏡は、当該双眼鏡の左右に端部でもって接続されるネックストラップを有し、使用されない際には双眼鏡は人の胸の前に吊るされて携えられることとなり、使用に際しては都合良く人の手で握られ持ち上げられる。
【０００３】
しかしながら、例えば航海分野において、使用者が胸の前に携える代わりに下に双眼鏡を置いておく方を好むような、多数の適用がある。これらの適用においては、ストラップは一層邪魔なものと考えられ、取り外すことができるのが望ましい。
【０００４】
慣例上、双眼鏡にストラップを留めるために、双眼鏡に備えられ固定された２つの間隔をおいたスリットを通してストラップが案内される。ストラップを取り除くことを望むならば、これは比較的骨の折れることで、双眼鏡にストラップを再び取り付けることはいっそう更に骨の折れることである。
【０００５】
【発明が解決しようとする課題】
このことに基づいて、本発明は、その課題として、原則として取り外し可能な接続の実行を可能とするだけでなく接続・接続解除のプロセスを簡単にして困難性なく且つ何らの指示もなしに行うことができるような上記様式のコネクターを創出することにある。更にこの種のコネクターは、従来の双眼鏡を改装することが簡単に可能となるようにデザインされるべきである。
【０００６】
【課題を解決するための手段】
この課題は本発明によれば、弾性的にＶ形状に開くことができ且つそれぞれ内側で内方に向いた保持突出部を有した２つの脚部を組み込んだ取り付けクリップをストラップの端部が有し、双眼鏡等に出っ張りを有した保持部分が備えられ、前記出っ張りが側方で外側の方へ向かって延びるノッチ（スナップイン）突出部を有して、上記出っ張りのノッチ突出部を保持突出部が囲むように出っ張りに上記脚部がカチッと係合することができ、更にカチッと係合した状態で脚部をおおって滑らせることができ、それ故に脚部が開くことを回避するように自由内断面がサイズ決めされている係留スリーブが備えられ、脚部はそれらの内側で卵形又は適切な長円形を有し、保持突出部は平面図で見て卵形又は適切な長円形を有することで解決される。
【０００７】
この形態によって、コネクターのクリップを簡単にカチッと係合することができ、係留スリーブを用いて確実に固定することができる。
【０００８】
これに関連して、好ましくは係留スリーブが係留状態でノッチ突出部の後方位置に弾性的に係合し、その結果、コネクターが重めのストレスを受けた場合にすら意図的でない接続解除が確実に回避されることとなる。
【０００９】
係留スリーブの外側に備えられた操作リブはその使用を容易化する。
上記クリップは、有利であるように、その上側でネックストラップが通される切抜き部分（カットアウト部）を有し、その結果、ネックストラップはそれ自体公知であるようにクリップに接続され得る。
【００１０】
それ自体公知であるように双眼鏡等のケース（ケーシング）に２つの間隔をおいたスリットが備えられるように本発明に係るコネクターで容易な改装を達成するため、双眼鏡使用状態でのケースの上側スリットに保持部分が形状適合して挿入可能で、使用状態での下側スリットに固定部分が形状適合して挿入可能であって、その際、保持部分と固定部分とはスナップイン（ノッチ）式接続で連結（インターロッッキング）可能である。とりわけ挿入の際に固定部分のノッチ突出部は保持部分のノッチ切抜き部分にカチッと係合でき、これによって両部分は互いに且つケースに対して固定される。
【００１１】
それ故、この本発明に係る態様は、直接取り付けのためにストラップを通過案内するスリットが習慣的にケースに備えられているという事実を利用する。簡単なスナップインプロセスを用いることによって、この種の従来のケースは本発明に係るコネクターを備えることができる。
【００１２】
【発明の実施の形態】
以下に、本発明を図面に関連した好適な実施例に基づいて詳細に説明する。
【００１３】
本発明に係るコネクター１は、一体に押し出し成形され弾性的に開くことができるように基礎範囲４でつながった２つの脚部を備えたクリップ２を含んでいる。上記範囲４はまた湾曲ブリッジ（撓みウェブ）６の下方に備えられた切抜き部分５を有する。この切抜き部分にそれ自体公知なようにネックストラップ７が通される。上記脚部３は、その下端で、内側に突出した保持突出部８を有する。
【００１４】
係留スリーブ９がクリップ２の脚部３を形状的に適合するように包み込み、可能性としての当該脚部の角開きを制限する。図面に示されたロック位置において、係留スリーブ９はその上部縁１０でノッチ突出部１１の後ろに適所係合される。
【００１５】
本発明に係るコネクター１は更に、足範囲１３と止めプレート１４とを備えた保持部分１２を含んでいる。上記プレートから、外側に向かって突出するノッチ突出部１６を有する出っ張り１５が上方に延びている。
【００１６】
上記ノッチ突出部１６は、クリップ２がその保持突出部８でノッチ突出部１６をおおって適所係合される際に形状的に適合するようにして係留スリーブ９を下方に滑らせることができ、それ故に上記脚部３が開かないように、クリップ２の保持突出部８に対してサイズ決めされている。その結果、係留突出部１１の後方適所への係留スリーブ９の閉鎖（ロック）が機械的ストレスを受ける際にもこの接続が離れないことを確実にするように、形状適合して出っ張り１５にクリップ２が固定される。係留スリーブは、より容易な取り扱いのために操作リブ２２を有する。
【００１７】
公知の双眼鏡又は類似の光学装置は、そのケースに、重なり合うように配置され従来ネックストラップの装着に供されている２つのスリットを有する。
【００１８】
本発明に係るコネクターを固定するために、止めプレート１４がケース表面上に係止するようになるまで保持部分１２の足部分１３が上側スリットを通して押し込まれる。
【００１９】
下側スリットを介して、固定部分１７はその止めプレート１８がケース表面上に係止するようになるまでケースの内側へ挿入される。そして突出部１９がケース２３の内部へ突き出る。この突出部１９は弾性的に撓みうるノッチ挿入部２０を有する。当該挿入部は保持部分１２の足部分１３での対応するノッチ切抜き部２１に適所係合され、部分１２，１７が互いにスナップイン係合し或いは係留し、ケースに確実に固定される。
【００２０】
とりわけ図３から明らかなように、脚部３はその内側で、保持突出部８は平面図的に見て、卵形又は適切な長円形を有して、接続プロセスの際の脚部の心出しを容易化する。
【図面の簡単な説明】
【図１】取り付け状態での本発明に係るコネクターの斜視図である。
【図２】部分的に切り開いた図１に対応する図である。
【図３】接続解除状態での斜視図である。
【図４】断面図である。
【符号の説明】
２    スリップ
３    脚部
７    ストラップ
８    保持突出部
【図１】
0004248134.tif 000002
【図２】
0004248134.tif 000003
【図３】
0004248134.tif 000004
【図４】
0004248134.tif 000005